(57)【要約】【課題】コンパクトに折畳むことができ、しかも展開状態および折畳み状態における形状を安定に維持することのできる幌を備えた育児器具を提供する。【解決手段】育児器具の一例としてのスリング式子守帯は、スリング本体１８０に包まれた乳幼児の頭部の上方領域を覆うようにスリング本体１８０に取付けられた幌１９０を備える。幌１９０は、相対的に剛性のある素材からなりアーチ状になって幅方向に延びる第１幌布１９１と、相対的に柔軟性のある素材からなり第１幌布に隣接してアーチ状になって幅方向に延びる第２幌布１９２と、相対的に剛性のある素材からなり第２幌布に隣接してアーチ状になって幅方向に延びる第３幌布１９３とを備える。【選択図】図２３
2007111490.tif 000002
【特許請求の範囲】
【請求項１】
乳幼児の頭部の上方を覆う幌を備えた育児器具において、
前記幌は、相対的に剛性のある素材からなりアーチ状になって幅方向に延びる第１幌布と、相対的に柔軟性のある素材からなり前記第１幌布に隣接してアーチ状になって幅方向に延びる第２幌布と、相対的に剛性のある素材からなり前記第２幌布に隣接してアーチ状になって幅方向に延びる第３幌布とを備えることを特徴とする、育児器具。
【請求項２】
前記第２幌布の厚みは、前記第１および第３幌布の厚みよりも小さい、請求項１に記載の育児器具。
【請求項３】
前記幌は、前記第１幌布と前記第３幌布とを重ね合わせるように折畳み可能である、請求項１または２に記載の育児器具。
【請求項４】
前記育児器具は、たすき掛け可能な布製のスリング本体を備えるスリング式子守帯である、請求項１〜３のいずれかに記載の育児器具。
【発明の詳細な説明】
【技術分野】
【０００１】
この発明は、乳幼児を抱っこするためのスリング式子守帯、乳母車、自動車用子供安全シート、ベビーベッド等の育児器具に関するものである。
【背景技術】
【０００２】
育児器具の一例としてのスリング式子守帯は、例えば、特開２００５−５２５８４号公報（特許文献１）、特開２００４−２２２８２８号公報（特許文献２）、特開２００３−４７５４２号公報（特許文献３）等に記載されている。
【０００３】
スリング式子守帯は、１枚の布製のスリングをたすき掛けにして乳幼児を抱っこするためのものである。布製のスリングによって外観的に乳幼児を優しく包み込む形態になるので、近年、母親や父親が好んで使うようになっている。
【特許文献１】特開２００５−５２５８４号公報
【特許文献２】特開２００４−２２２８２８号公報
【特許文献３】特開２００３−４７５４２号公報
【発明の開示】
【発明が解決しようとする課題】
【０００４】
従来のスリング式子守帯は、外観的には優しいイメージを与えることができるが、抱っこされる乳幼児にとっては必ずしも快適なものとはいえない。
【０００５】
第一に、乳幼児の背部を柔らかい布によって包んで支えるものであるので、乳幼児の背中が窮屈に曲がってしまう可能性がある。生後間もない乳児は腹式呼吸をするが、背中が大きく曲がると腹式呼吸を妨げるおそれがある。
【０００６】
第二に、乳幼児の身体を布製のスリングで下から包んで支えているだけなので、抱っこされている乳幼児が活発に動いたときに、乳幼児の身体が不意にスリングから滑り落ちるおそれもある。
【０００７】
第三に、スリング式子守帯は使用者の肩にたすき掛けで保持されているだけなので、スリングに包まれた乳幼児を適正な姿勢で保持することが難しい。
【０００８】
第四に、従来のスリング式子守帯は、布製のスリング本体の一方端部分と他方端部分とを使用者の肩の上で絡み合わせて結ぶだけであるので、不意にその結びが解かれてしまうおそれがある。
【０００９】
第五に、従来のスリング式子守帯は、柔らかい布製のスリング本体によって乳幼児を下から支えるものであるので、乳幼児の保持姿勢を安定させることが困難である。
【００１０】
第六に、スリング式子守帯を陽射しの強い戸外で使用された場合、強い陽射しが乳幼児の顔にあたることがある。
【００１１】
強い陽射しの入射を遮るようにするための幌を備えた育児器具がある。このような育児器具の幌においては、コンパクトに折畳めること、および展開状態および折畳み状態における形状を安定に維持できることが要望される。
【００１２】
この発明の目的は、コンパクトに折畳むことができ、しかも展開状態および折畳み状態における形状を安定に維持することのできる幌を備えた育児器具を提供することである。
【課題を解決するための手段】
【００１３】
この発明に従った育児器具は、乳幼児の頭部の上方を覆う幌を備えている。幌は、相対的に剛性のある素材からなりアーチ状になって幅方向に延びる第１幌布と、相対的に柔軟性のある素材からなり第１幌布に隣接してアーチ状になって幅方向に延びる第２幌布と、相対的に剛性のある素材からなり第２幌布に隣接してアーチ状になって幅方向に延びる第３幌布とを備える。
【００１４】
上記構成の本発明によれば、剛性のある素材からなる２つのアーチ状の幌布の間に柔軟性のある素材からなるアーチ状の幌布を位置させているので、幌を小さく折畳むことができるとともに、展開状態および折畳み状態における幌の形状を安定して維持できる。
【００１５】
第２幌布の厚みは、例えば、第１および第３幌布の厚みよりも小さい。また、好ましくは、幌は、第１幌布と第３幌布とを重ね合わせるように折畳み可能である。
【００１６】
この発明が適用される育児器具の一例は、たすき掛け可能な布製のスリング本体を備えるスリング式子守帯である。
【発明を実施するための最良の形態】
【００１７】
図１は、この発明の一実施形態に係るスリング式子守帯を横抱きで使用している状態を示している。図示するように、スリング式子守帯１は、たすき掛け可能な布製のスリング本体１０を備える。スリング本体１０の一方端部分と他方端部分とを使用者の肩の上またはその近傍で連結することになるが、その連結部分近傍に飾りリング２１が取付けられていて、スリング本体１０の一部が飾りリング２１を通過するようにしている。
【００１８】
図１は横抱きの状態を示しているが、スリング本体１０の一方端部分と他方端部分との連結位置を適宜変更することにより、縦抱きの状態で乳幼児を抱っこすることも可能である。
【００１９】
図２は、スリング式子守帯１を展開してその内面側を見せている平面図である。図示するように、スリング本体１０の内面には、乳幼児の身体を拘束するための子供拘束部材３０が取付けられている。子供拘束部材３０は、乳幼児の股部を支えるようにスリング本体１０の内面に固定して取付けられた股当て部３１と、乳幼児の腹部に当てられるように股当て部から連続的に延びている腹当て部３２と、乳幼児の背部に当てられるようにスリング本体の内面に固定して取付けられた背当て部３３と、使用状態において乳幼児の頭頂部を護るように背当て部３３から屈曲して折れ曲がるヘッドガード部３４とを備える。
【００２０】
図３は、腹当て部３２を折り返した状態を示している。図示するように、スリング式子守帯１は、スリング本体１０と、腹当て部３２とを連結する連結部材を備える。具体的には、連結部材は、背当て部３３の両側縁から延びてきた一対の連結ベルト３５と、各連結ベルト３５に取付けられた一対の連結フック３６と、腹当て部３２に取付けられた一対の連結環３９とを備える。乳幼児を抱っこする際には、一対の連結フック３６と一対の連結環３９とを連結することにより、乳幼児の身体を拘束する。
【００２１】
図３に示すように、一対の連結環３９から離れた所に一対の連結環４０が設けられている。これは、乳幼児の身体の大きさに応じて、連結フック３６に連結されるべき連結環を選択できるようにするためである。乳幼児の身体が小さいときには連結フック３６を一方の連結環３９に連結し、乳幼児の身体が大きいときには連結フック３６を他方の連結環４０に連結する。
【００２２】
ヘッドガード部３４の形状をしっかりと保つために、好ましくは、ヘッドガード部３４にはヘッドガードパッドが収納されている。同様に、乳幼児の背中を適正に保持できるようにするために、背当て部３３には、背当てパッド４１（図７参照）が収納されている。スリング式子守帯１を小さく折畳むことができるようにするために、好ましくは、背当てパッド４１は、背当て部３３に取り出し可能に収納されている。
【００２３】
スリング式子守帯１を横抱きの状態で使用するとき、すなわち背当て部３３をほぼ水平状態にして使用するときには、乳幼児の頭頂部を護るようにヘッドガード部３４を背当て部３３の上端から屈曲して立ち上がらせる。スリング式子守帯を縦抱きの状態で使用するとき、すなわち背当て部３３を上下方向に立てた状態で使用するときには、乳幼児の頭部を開放するために、ヘッドガード部３４を背当て部３３の背面に折り返す。
【００２４】
図７に示すように、好ましくは、背当てパッド４１は、多数の通気穴４２を有する。また、背当てパッド４１は、幅方向に延びる第１屈曲線３７および第２屈曲線３８を有しており、これらの屈曲線３７，３８を境にして折り曲げ可能とされている。背当てパッド４１に屈曲線を設けて屈曲可能にしておけば、背当てパッド４１を装着した状態のままでもスリング式子守帯１を小さく折畳むことが可能になる。
【００２５】
図２に示すように、たすき掛け時に連結されるべきスリング本体1０の一方端部分１１および他方端部分１２には、それぞれ、第１ベルト１３および第２ベルト１４が取り付けられている。図４は、第１ベルト１３を第２ベルト１４に向かう方向に折り返した状態を示している。
【００２６】
第１ベルト１３には、バックル部材の一方要素である受具１５が取付けられ、第２ベルト１４には、バックル部材の他方要素である差込み具１６が取付けられている。図５に示すように差込み具１６を受具１５に嵌め入れることにより、スリング本体１０の一方端部分１１と他方端部分１２とが連結される。
【００２７】
図４に示すように、第１ベルト１３には、フック１９、リング２０および飾りリング２１が取付けられている。フック１９をリング２０に連結すれば、第１ベルト１３の長さが短くなる。したがって、乳幼児の身体の大きさに応じて、あるいは抱き方の変更に応じて、フック１９とリング２０とを連結したり、離したりする。
【００２８】
飾りリング２１は、飾りのために設けられたものである。図６に示すように、スリング本体１０の一方端部分から細長く延びている部分を飾りリング２１に通すようにすれば、第１ベルト１３、第２ベルト１４、受具１５および差込み具１６を外から見えないように隠すことができるので、外観上の美感が向上する。このことは、図１を参照すれば明らかである。
【００２９】
図２に示すように、スリング本体１０の内面には、第１ベルト１３と第２ベルト１４とを連結するように延びる第１補強帯１７および第２補強帯１８が縫い付けられている。第１補強帯１７と第２補強帯１８とは上下方向に間隔をあけて設けられており、それらの補強帯１７，１８の間に位置するスリング本体部分は、メッシュ状素材２２で作られている。したがって、スリング式子守帯１は、通気性に優れたものとなる。
【００３０】
図２から明らかなように、背当てパッド４１（図７）の第１および第２屈曲線３７，３８は、それぞれ、第１および第２補強帯１７，１８上に重なるように位置する。したがって、乳幼児を抱っこしている状態では、第１および第２補強帯１７、１８によって下から支えられている背当てパッド４１は屈曲しないので、乳幼児の背中を適正な姿勢に維持できる。
【００３１】
図１〜図７はこの発明の一実施形態に係るスリング式子守帯を示すものであったが、種々の修正を施すことか可能である。修正事項のいくつかを図８〜図３５を用いて説明する。
【００３２】
図８に示すスリング式子守帯１００は、使用者の右肩上でたすき掛けされることを意図したものである。このような使用状態により適合させるために、図示した実施形態では、使用者の身体に接する側のスリング本体の側縁１０１を内側にややえぐれるように湾曲させている。このようにすれば、使用者の身体に接する側のスリング本体部分の嵩張りを小さくすることができる。
【００３３】
図８に示した実施形態では、通気性を良好にするために、強度面を考慮しならがスリング本体の複数箇所に通気窓１０２，１０３を設けている。通気窓１０２，１０３には、例えばメッシュ状素材を張っておく。通気窓１０２は乳幼児の頭部の両側方に位置する部分にあり、通気窓１０３は乳幼児の身体の両側方に位置する部分にある。
【００３４】
図８に示すスリング式子守帯１００は、たすき掛けされるスリング本体の一方端部分と、この部分に近い側の背当て部または股当て部の側方部分とを連結する補助ベルト１０４をさらに備える。具体的には、補助ベルト１０４の一方端１０４ａは、スリング本体の一方端部分に取付けられている第１ベルト１３に取り付けられた環状帯１０５に取り外し可能に連結され、他方端１０４ｂは、背当て部３３または股当て部３１の背面に位置するスリング本体の外面上に取付けられている環状帯１０６に取り外し可能に連結されている。図９に示すように、補助ベルト１０４を備えることにより、スリング式子守帯１００を横抱きの状態で使用するときに背当て部３３を安定して水平状態で保持することが可能になる。
【００３５】
図１０に示す実施形態では、第１ベルト１３に取付けられた受具１５と、第２ベルト１４に取付けられた差込み具１６との連結状態が不意に解かれた場合の危険性を回避するために、第１ベルト１３に環状部材１０７を取付けている。この環状部材１０７を、差込み具１６に係合させるように位置させておけば、受具１５と差込み具１６との連結が不意に外れても、第１ベルト１３と第２ベルト１４との連結状態が維持されるので、安全上好ましい。
【００３６】
図１１は、背当てパッドの他の例を示している。図示する背当てパッド１１０は、比較的剛性のある芯材部分１１１と、この芯材部分１１１を覆う柔軟性素材からなるカバー部分１１２とを備える。芯材部分１１１は、幅方向に延びる第１屈曲線１１３と第２屈曲線１１４とを備える。図示するように、芯材部分１１１は、所定の幅寸法を有する上部領域と、この上部領域の下方に位置し上部領域の幅寸法よりも小さな幅寸法を有する下部領域とを含む。芯材部分１１１の下部領域の両側縁１１１ａは、幅寸法が小さくなるように内側に後退しており、そのためこの部分に位置するカバー部分１１２ａはやや幅広の帯部を形成する。身体の小さい乳幼児を横抱きの状態で保持するときには、カバー部分１１２の幅広帯部１１２ａは芯材部分１１１から上方に屈曲するように折れ曲がる。乳幼児が成長して身体が大きくなったときには、乳幼児の背中がカバー部分１１２の幅広帯部１１２ａ上に位置するようになる。図１１に示す背当てパッド１１０によれば、乳幼児の身体の大きさに合わすように形態が変化するので、乳幼児の保持を適切に行なうことができる。
【００３７】
図１２は、スリング本体の内面に取付けられる子供拘束部材の他の例である。図示する子供拘束部材１３０は、曲げ剛性を有する背当て部１３３と、背当て部１３３から連続的に延びる股当て部１３１と、股当て部１３１から連続的に延びる腹当て部１３２とを備える。この実施形態における特徴は、腹当て部１３２の形状にある。すなわち、腹当て部１３２は、股当て部１３１との境界から両側方に大きく張り出した形状を有している。図示を省略した連結部材のフック（図２〜図４におけるフック３６）が引掛けられる連結環１３４は腹当て部１３２の大きく張り出した両側方部分に位置している。従って、連結箇所に用いられる金具等が、乳幼児の太腿に触れないようにすることができる。
【００３８】
図１３および図１４は、スリング本体の内面の背当て部内に収納される背当てパッドの他の例を示している。曲げ剛性を有する背当てパッド１４０は、曲げ剛性を有する背当て芯材１４１と、その上に配置される柔らかいクッション材１４２と、それらを覆うカバー部材１４３とを備える。図示するように、使用者の身体側に位置する背当てパッド１４０の側縁部１４０ａは、使用者の身体に沿うように凹状に湾曲した形状を有している。図示した実施形態では、背当て芯材１４１、クッション材１４２およびカバー部材１４３の全てが凹状に湾曲した形状を有しているが、他の実施形態として、背当て芯材１４１のみが凹状に湾曲した側縁部を持つようにし、柔らかいクッション材１４２およびカバー部材１４３がそのような凹状に湾曲した側縁部を持たず、直線的なものであってもよい。
【００３９】
前述した実施形態と同様に、背当てパッド１４０は、スリング式子守帯を小さく折畳むことができるようにするために、幅方向に延びる複数の屈曲線１４４，１４５を有し、この屈曲線を境にして折り曲げ可能に設けられている。好ましくは、スリング本体の内面には、背当て部に交差して延びる補強帯が縫いつけられており、背当てパッド１４０の屈曲線１４４，１４５はこの補強帯上に重なるように位置する。
【００４０】
図１４に示すように、柔らかいクッション材１４２は、凹状に湾曲した背当て芯材１４１の側縁部を越えて背当て芯材の裏面にまで回りこんでいる。このようにすれば、使用者の身体に、柔らかいクッション材１４２の感触を与えることができるので好ましい。
【００４１】
図１５および図１６は、それぞれ、他の形態の背当てパッドを示している。生後間もない乳児は、腕をＷ字状に曲げ、脚をＭ字状に曲げる。このような姿勢を側方から圧迫すると乳児は窮屈に感じ、極端な場合には股関節脱臼を誘発するおそれがある。そこで、スリング本体内に包まれた乳児が、手足を比較的楽に動かすことができるようにするために、背当てパッド１５０および１５３は、それぞれ、逆台形形状を有する上方領域と、台形形状を有する下方領域とを有している。
【００４２】
具体的には、図１５に示す背当てパッド１５０は、曲げ剛性を有するものであり、中央領域の両側方が内方に抉れる形状をしている。上方領域は幅広で滑らかな曲線状の輪郭を有している。下方領域も、同様に、幅広で滑らかな曲線状の輪郭を有している。さらに、背当てパッド１５０は、幅方向に延びる屈曲線１５１，１５２を有する。好ましくは、スリング本体に縫い付けられる補強帯が、屈曲線１５１，１５２に重なるように延びる。
【００４３】
図１６に示す背当てパッド１５３は、曲げ剛性を有するものであり、逆台形形状を有する上方領域と、長方形形状を有する中央領域と、台形形状を有する下方領域とを有している。さらに、背当てパッド１５３は、幅方向に延びる屈曲線１５４，１５５を有する。好ましくは、スリング本体に縫い付けられる補強帯が、屈曲線１５４，１５５に重なるように延びる。
【００４４】
図１３および図１４に示した背当てパッド１４０と同様に、背当てパッド１５０，１５３は、曲げ剛性を有する背当て芯材と、その上に配置される柔らかいクッション材とを備えるようにしてもよい。
【００４５】
この発明の実施形態に係るスリング式子守帯の特徴の一つは、スリング式子守帯が荷重支え補強帯を備えていることにある。図１７に図解的に示すスリング式子守帯は、たすき掛け可能な布製のスリング本体１６０と、このスリング本体に包まれた乳幼児を下から支える領域に延びるようにスリング本体１６０に装着された荷重支え補強帯１６１とを備える。荷重支え補強帯１６１は、たすき掛けされるスリング本体１６０の一方端部分と他方端部分とを連結してループ状に延びるループ帯の形態となっている。荷重支え補強帯１６１の途中位置には、補強帯１６１の両端を取外し可能に連結するバックル１６２が取付けられている。乳幼児の荷重を下から支える荷重支え補強帯１６１を備えることにより、スリング本体１６０に包まれる乳幼児を安定して保持することが可能になる。
【００４６】
なお、図２に示した実施形態において、第１補強帯１７と第１ベルト１３と第２ベルト１４とでループ帯の形態となる荷重支え補強帯を形成している。
【００４７】
図１８は、他の実施形態に係るスリング式子守帯を図解的に示している。図示するスリング式子守帯は、スリング本体１６５と、スリング本体１６５の縁部を補強する補強縁部１６６と、両端が補強縁部１６６に接続された荷重支え補強帯１６７とを備えている。
【００４８】
図１９は、さらに他の実施形態に係るスリング式子守帯を図解的に示している。図示するスリング式子守帯は、図１８の実施形態と同様に、スリング本体１７０と、補強縁部１７１と、荷重支え補強帯１７２とを備えている。この実施形態においては、補強縁部１７１は、スリング本体１７０の主要な縁部を補強すると共に、乳幼児を受入れる領域の上方を取り囲むように環状に延びている。荷重支え補強帯１７２の両端は、環状に延びる補強縁部１７１に接続されている。
【００４９】
図２０は、さらに他の実施形態に係るスリング式子守帯を図解的に示している。図示するスリング式子守帯は、スリング本体１７５と、たすき掛けされるスリング本体１７５の一方端部分と他方端部分とを連結してループ状に延びるループ帯部１７６と、ループ帯部１７６から分岐して乳幼児を下から支える領域に延びる分岐帯部１７７とを備える。ループ帯部１７６および分岐帯部１７７が、荷重支え補強帯として機能する。
【００５０】
図２１は、幌を備えたスリング式子守帯を図解的に示している。図示するスリング式子守帯は、好ましくは、今までに説明した特徴的な構成を備えている。
【００５１】
図２１に示すスリング式子守帯は、たすき掛け可能な布製のスリング本体１８０と、スリング本体１８０に包まれた乳幼児の頭部の上方領域を覆うようにスリング本体１８０に取付けられた幌１８３とを備える。スリング本体１８０には、荷重支え補強帯として機能するループ帯部１８１および分岐帯部１８２が縫い付けられている。ループ帯部１８１は、たすき掛けされるスリング本体１８０の一方端部分と他方端部分とを連結してループ状に延び、分岐帯部１８２はループ帯部１８１から分岐して乳幼児を下から支える領域に延びている。
【００５２】
幌１８３は、好ましくはアーチ形状を有しており、その両端は荷重支え補強帯に接続されている。図示した実施形態では、幌１８３の両端が分岐帯部１８２に接続されている。このように幌１８３の両端を荷重支え補強帯に接続することにより、幌１８３の形状を安定して維持することができるようになる。
【００５３】
アーチ形状の幌１８３は、窓１８４と、この窓１８４を開閉するカバー１８５とを備える。窓１８４にはメッシュ地を張っておいても良い。幌１８３は、日除けとしての機能に加えて、乳幼児受入空間の明るさを調節する機能も併せ持つ。乳幼児受入空間を明るくするには幌を畳んで乳幼児受入空間の上方を大きく開放する。乳幼児受入空間を暗くするには幌をアーチ形状に展開して乳幼児受入空間の上方領域を部分的に閉鎖する。
【００５４】
幌１８３が窓１８４およびカバー１８５を備えることにより、乳幼児受入空間の明るさを段階的に調節することが可能になる。
【００５５】
図２２に図解的に示すスリング式子守帯は、スリング本体１８０と、ループ帯部１８１と、分岐帯部１８２と、幌１９０とを備える。幌１９０は、アーチ形状を有し、その両端は荷重支え補強帯として機能する分岐帯部１８２に接続されている。
【００５６】
幌１９０の詳細を図２３を参照して説明する。幌１９０は、相対的に剛性のある素材からなりアーチ状になって幅方向に延びる第１幌布１９１と、相対的に柔軟性のある素材からなり第１幌布１９１に隣接してアーチ状になって幅方向に延びる第２幌布１９２と、相対的に剛性のある素材からなり第２幌布１９２に隣接してアーチ状になって幅方向に延びる第３幌布１９３とを備える。第２幌布１９２の厚みは、第１幌布１９１および第３幌布１９３よりも小さい。
【００５７】
図２３（ａ）は幌１９０の展開状態を示し、図２３（ｂ）は幌１９０の折畳み状態を示している。幌１９０の折畳み状態においては、第１幌布１９１と第３幌布１９３とが重ね合わされる。柔軟性のある第２幌布１９２は、重ねあわされた第１幌布１９１と第３幌布１９３との間に挟まれる。この実施形態によれば、剛性のある素材からなる２つの幌布１９１、１９３の間に柔軟性のある素材からなる幌布１９２を位置させているので、幌１９０を小さく折畳むことができると共に、折畳み形態を安定して維持できる。
【００５８】
なお、幌１９０の展開状態の形態を安定に維持するために、第１、第２および第３幌布間に張りを持たせるような構造、あるいは互いに突っ張り作用を発揮するような構造を採用してもよい。
【００５９】
図２３に示した幌１９０は、スリング式子守帯の幌として利用され得るが、その他の育児器具にも適用することができる。例えば、乳母車、自動車用子供安全シート、室内用育児椅子、ベッド等のように乳幼児受入空間を有する育児器具に適用可能である。
【００６０】
図２４は、スリング式子守帯を使用する母親や父親が楽に乳幼児を支えるようにするための工夫を施した実施形態を図解的に示している。図示するスリング式子守帯は、使用者の肩にたすき掛けされた状態で乳幼児の身体を包んで保持する布製のスリング本体２００と、使用者の手を受入れる受入部を有し、スリング本体２００の外面上に設けられる手受入部材２０１，２０３とを備える。一方の手受入部材２０１は、乳幼児の尻を下から支える位置にある。他方の手受入部材２０３は、乳幼児の背中を支える位置にある。
【００６１】
手受入部材は、使用者の手を受入れる受入部を有するものであれば、どのような形態のものであってもよい。図示した実施形態では、乳幼児の尻を支える位置にある一方の手受入部材２０１は手袋の形態を有している。図示するように手受入部材２０１をミトンの形態にすれば、手を簡単に差し入れることができるようになる。乳幼児の背中を支える位置にある他方の手受入部材２０３は、横から手を差し入れることができるようにした帯の形態を有している。
【００６２】
使用者は、例えば右手をミトンの形態の手受入部材２０１に差し入れて乳幼児の尻を下から支え、左手を帯の形態の手受入部材２０３に差し入れて乳幼児の背中を支える。ミトンの形態の手受入部材２０１は、外気温が高い季節においては不快感を与えるかもしれない。そこで、ミトンの形態の手受入部材２０１の上に重なるように、帯の形態の手受入部材２０２を設けておいても良い。このようにすれば、使用者は、暑い季節においては、手をミトン２０１と帯２０２との間に差し入れることができる。
【００６３】
スリング式子守帯は、使用者の肩にたすき掛けされて使用される。その際に、スリング式子守帯を使用者の身体に密着させておくのが安全上好ましい場合がある。そこで、図２５〜図２７に示す実施形態は、スリング本体と使用者の腰とを連結する結合部材を備える。
【００６４】
具体的には、図２５に示すスリング式子守帯は、使用者の肩にたすき掛けされた状態で乳幼児の身体を包んで保持する布製のスリング本体２１０と、スリング本体２１０と使用者の腰とを連結する結合部材２１１とを備える。結合部材２１１は、使用者の腰に巻き付けられる腰ベルトまたは腰紐であり、使用者の腰に近接する領域にあるスリング本体２１０の外面上に取付けられている。
【００６５】
図２６に図解的に示すスリング式子守帯は、使用者の腰に近接する領域にあるスリング本体２１５の外面上に取付けられた結合部材としてのループ状部材２１６を備える。例えば、使用者のズボンのベルト２１７をループ状部材２１６に通すことにより、スリング本体２１５を使用者の腰に密着させることができる。なお、図２６は、横抱き状態のスリング式子守帯を示している。縦抱き状態においてもループ状部材２１６を使用できるようにするために、ループ状部材２１６をスリング本体２１５に対して回転可能に取付けても良い。
【００６６】
上記のように、一つの結合部材の向きを変えて、横抱きおよび縦抱きに対応しても良いが、他の実施形態として、スリング式子守帯は、横抱き時に使用される横抱き用結合部と、縦抱き時に使用される縦抱き用結合部とを含むものであってもよい。
【００６７】
図２７は、図３に示した実施形態に対して、縦抱き用結合部２１８を取付けた例を示している。縦抱き用結合部２１８は、ズボンのベルト２１９を通すようにするためのループ状部材または帯状部材であり、股当て部３１の背面に取付けられている。
【００６８】
スリング本体に包まれた乳幼児を騒音から守るために、スリング本体に防音材を取付けるようにしてもよい。図２８に図解的に示すスリング式子守帯は、たすき掛け可能な布製のスリング本体２２０と、スリング本体２２０に包まれた乳幼児の両耳に近接して位置するようにスリング本体２２０の内面に配置された防音部材２２１とを備える。防音部材２１１は、スリング本体２２０に固定して取付けられても良いし、着脱可能に取付けられても良い。
【００６９】
図２９は、防音部材を備えたスリング式子守帯の他の例を示している。図示するスリング式子守帯は、スリング本体２３０と、スリング本体２３０の内面上に配置されて乳幼児の頭部を保護する頭部パッド２３２と、曲げ剛性を有し、乳幼児の背部に当てられるようにスリング本体２３０の内面に配置される背当て部２３１とを備える。頭部パッド２３２は、乳幼児の両側頭部に近接する位置に立壁２３２ａを有しており、この立壁２３２ａ中に防音部材を含む。なお、図示していないが、頭部パッド２３２は、乳幼児の後頭部を受入れる凹部を持つ枕を備えていても良いし、乳幼児の首を背後から支える隆起部を備えていても良い。
【００７０】
図３０は、防音部材を備えた頭部パッド２３５の他の例を示している。図示する頭部パッド２３５は、両側部に断面半円形状の山部２３７を持つ枕２３６と、乳幼児の両側頭部に近接する１対の立壁２３９とを備える。各立壁２３９は、防音部材を含む。各立壁２３９の底面は、断面半円形状の凹部を有しており、各山部２３７上に位置する。各立壁２３９と各山部との連結は、連結ベルト２４０によって行われる。具体的には、連結ベルト２４０の一方端２４０ａは立壁２３９の内側側面に固定され、他方端２４０ｂは枕２３６の穴２３８を通過して山部２３７の下を回って立壁２３９の外側側面に面ファスナを介して着脱可能に接続される。この頭部パッド２３５においては、図３０において想像線で示すように、立壁２３９の立上り角度を変更することができる。従って、必要に応じて、乳幼児の両側方を開放したり、閉鎖したりすることができる。
【００７１】
図１０に示した実施形態に係るスリング式子守帯は、たすき掛け可能な布製のスリング本体と、スリング本体の一方端部分と他方端部分とを着脱可能に連結するバックル部材とを備えていた。図３１は、図１０の実施形態に対して僅かな変形を加えたものである。具体的には、スリング式子守帯は、バックル部材を覆うように延在し、スリング本体の一方端部分に例えばスライドファスナ−２５０を介して取外し可能に連結される飾り部材２５１を備える。形態の異なる飾り部材２５１を複数種類準備しておけば、それらを適宜選択して使用することによりデザイン的な変化を楽しめる。図３２は、スリング本体から取外された飾り部材２５１を示しており、スカーフとして使用され得る形態を有している。
【００７２】
上記のように飾り部材２５１をスリング本体から取外し可能に設けておけば、乳幼児が成長してスリング式子守帯が不要になった段階でも、乳幼児期の記憶を継続的に維持し得る記憶伝承品として保存しておくことができる。
【００７３】
図３３は、取外し可能な飾り部材の保持構造の他の例を示している。たすき掛けされるスリング本体の一方端部分および他方端部分には、それぞれ、バックル１５，１６を保持するベルト１３，１４が取り付けられている。一方のベルト１３には、飾り部材２６０を通すための飾りリング２１が取り付けられている。この実施形態では、飾り部材２６０は、飾りリング２１によってスリング本体に着脱可能に接続される。飾り部材２６０の上方部分を安定して保持するために、好ましくは、一方のベルト１３に飾り部材２６０を通すためのリング２６１を取付けておく。
【００７４】
図３４および図３５は、取外し可能な飾り部材の他の例を示している。これらの図に示す飾り部材２７０、２８０は、スリング本体に包まれた乳幼児の上方空間を覆い得る形態を有している。図３４に示す飾り部材２７０はレインカバーとして使用され得る形態を有し、図３５に示す飾り部材２８０は蚊帳として使用され得る形態を有している。
【００７５】
以上、図面を参照してこの発明の種々の実施形態を説明したが、この発明は、図示した実施形態のものに限定されない。種々の実施形態の特徴を任意に組合せることが可能であるし、図示した実施形態に対して、この発明と同一の範囲内において、あるいは均等の範囲内において、種々の修正や変形を加えることが可能である。
【産業上の利用可能性】
【００７６】
この発明は、安全性に優れたスリング式子守帯として有利に利用され得る。
【図面の簡単な説明】
【００７７】
【図１】この発明の一実施形態に係るスリング式子守帯の使用状態を示す図である。
【図２】スリング式子守帯を展開した状態の平面図である。
【図３】図２に示す状態から、腹当て部を折り返した状態の平面図である。
【図４】図２に示す状態から、第１ベルトを第２ベルトに向かう方向に折り返した状態の平面図である。
【図５】第１ベルトと第２ベルトとを連結している状態を示す斜視図である。
【図６】飾りリングにスリング本体の一部を通している状態を示す斜視図である。
【図７】背当てパッドを示す平面図である。
【図８】この発明の他の実施形態に係るスリング式子守帯を示す図である。
【図９】この発明の他の実施形態に係るスリング式子守帯の使用状態を図解的に示す図である。
【図１０】第１ベルトと第２ベルトとを連結している状態を示す斜視図である。
【図１１】背当てパッドの他の例を示す図である。
【図１２】子供拘束部材の他の例を示す図解図である。
【図１３】背当てパッドの他の例を示す図解図である。
【図１４】図１３の線１４−１４に沿って見た断面図である。
【図１５】背当てパッドの他の例を示す図解図である。
【図１６】背当てパッドの他の例を示す図解図である。
【図１７】荷重支え補強帯を有するスリング式子守帯の図解図である。
【図１８】荷重支え補強帯を有するスリング式子守帯の他の例を示す図解図である。
【図１９】荷重支え補強帯を有するスリング式子守帯のさらに他の例を示す図解図である。
【図２０】荷重支え補強帯を有するスリング式子守帯のさらに他の例を示す図解図である。
【図２１】幌を有するスリング式子守帯の図解図である。
【図２２】幌を有するスリング式子守帯の他の例を示す図解図である。
【図２３】幌の図解的断面図であり、（ａ）は展開状態を示し、（ｂ）は折畳み状態を示している。
【図２４】手受入部材を有するスリング式子守帯を図解的に示す図である。
【図２５】結合部材を有するスリング式子守帯の装着状態を示す図解図である。
【図２６】他の形態の結合部材を有するスリング式子守帯を図解的に示す図である。
【図２７】他の形態の結合部材を有するスリング式子守帯を示す図である。
【図２８】防音部材を有するスリング式子守帯の図解図である。
【図２９】防音部材を持つ頭部パッドを備えたスリング式子守帯を図解的に示す図である。
【図３０】防音部材を持つ頭部パッドの他の例を示す断面図である。
【図３１】取外し可能な飾り部材を備えたスリング式子守帯の部分斜視図である。
【図３２】スカーフとして使用され得る形態を有する飾り部材を図解的に示す図である。
【図３３】他の形態の飾り部材の取付け状態を示す斜視図である。
【図３４】飾り部材がレインカバーとして使用されている状態を示す図である。
【図３５】飾り部材が蚊帳として使用されている状態を示す図である。
【符号の説明】
【００７８】
１  スリング式子守帯、１０  スリング本体、１１  一方端部分、１２  他方端部分、１３  第１ベルト、１４  第２ベルト、１５  受具、１６  差込み具、１７  第１補強帯、１８  第２補強帯、１９  フック、２０リング、２１  飾りリング、２２  メッシュ状素材、３０  子供拘束部材、３１  股当て部、３２  腹当て部、３３  背当て部、３４  ヘッドガード部、３５  連結ベルト、３６  連結フック、３７  第１屈曲線、３８  第２屈曲線、３９，４０  連結環、４１  背当てパッド、４２  通気穴、１００  スリング式子守帯、１０１  側縁、１０２，１０３  通気窓、１０４  補助ベルト、１０５，１０６  環状帯、１０７  環状部材、１１０  背当てパッド、１１１  芯材部分、１１２  カバー部分、１１３，１１４  屈曲線、１３０  子供拘束部材、１３１  股当て部、１３２  腹当て部、１３３  背当て部、１３４  連結環、１４０  背当てパッド、１４１  背当て芯材、１４２  クッション材、１４３  カバー部材、１４４，１４５  屈曲線、１５０  背当てパッド、１５１，１５２  屈曲線、１５３  背当てパッド、１５４，１５５  屈曲線、１６０  スリング本体、１６１  荷重支え補強帯、１６２  バックル、１６５  スリング本体、１６６  補強縁部、１６７  荷重支え補強帯、１７０  スリング本体、１７１  補強縁部、１７２  荷重支え補強帯、１７５  スリング本体、１７６  ループ帯部、１７７  分岐帯部、１８０  スリング本体、１８１  ループ帯部、１８２  分岐帯部、１８３  幌、１８４  窓、１８５  カバー、１９０  幌、１９１  第１幌布、１９２  第２幌布、１９３  第３幌布、２００  スリング本体、２０１  ミトン、２０２，２０３  帯、２１０  スリング本体、２１１  結合部材、２１５  スリング本体、２１６  結合部材、２１７  ベルト、２１８  縦抱き用結合部、２１９  ベルト、２２０  スリング本体、２２１  防音部材、２３０  スリング本体、２３１  背当て部、２３２  頭部パッド、２３２ａ  立壁、２３５  頭部パッド、２３６  枕、２３７  山部、２３８  穴、２３９  立壁部、２４０  連結ベルト、２４０ａ  一方端、２４０ｂ  他方端、２５０スライドファスナー、２５１  スカーフとして使用され得る飾り部材、２７０  レインカバーとして使用され得る飾り部材、２８０  蚊帳として使用され得る飾り部材。
【図１】
2007111490.tif 000003
【図２】
2007111490.tif 000004
【図３】
2007111490.tif 000005
【図４】
2007111490.tif 000006
【図５】
2007111490.tif 000007
【図６】
2007111490.tif 000008
【図７】
2007111490.tif 000009
【図８】
2007111490.tif 000010
【図９】
2007111490.tif 000011
【図１０】
2007111490.tif 000012
【図１１】
2007111490.tif 000013
【図１２】
2007111490.tif 000014
【図１３】
2007111490.tif 000015
【図１４】
2007111490.tif 000016
【図１５】
2007111490.tif 000017
【図１６】
2007111490.tif 000018
【図１７】
2007111490.tif 000019
【図１８】
2007111490.tif 000020
【図１９】
2007111490.tif 000021
【図２０】
2007111490.tif 000022
【図２１】
2007111490.tif 000023
【図２２】
2007111490.tif 000024
【図２３】
2007111490.tif 000025
【図２４】
2007111490.tif 000026
【図２５】
2007111490.tif 000027
【図２６】
2007111490.tif 000028
【図２７】
2007111490.tif 000029
【図２８】
2007111490.tif 000030
【図２９】
2007111490.tif 000031
【図３０】
2007111490.tif 000032
【図３１】
2007111490.tif 000033
【図３２】
2007111490.tif 000034
【図３３】
2007111490.tif 000035
【図３４】
2007111490.tif 000036
【図３５】
2007111490.tif 000037